(57)【特許請求の範囲】
【請求項１】
ユーザの命令を受信する段階、および
前記受信されたユーザ命令の類型に応じて、現在再生中のコンテンツに対する情報に基づいて設定されたカテゴリ内に属するコンテンツのリストを表示する段階を含み、
前記リストは、各コンテンツのジャンルを表す色相と各コンテンツの再生履歴情報を表す長さで表現される複数のコンテンツバーを含む、コンテンツリストを表示する方法。
【請求項２】
前記現在再生中のコンテンツに対する情報は、前記現在再生中のコンテンツのメタデータ、前記現在再生中のコンテンツとの類似情報、前記現在再生中のコンテンツの再生履歴情報、前記現在再生中のコンテンツを基準として多数のユーザから集計した結果情報のうち少なくとも一つを含む、請求項１に記載のコンテンツリストを表示する方法。
【請求項３】
前記現在再生中のコンテンツのメタデータに基づいて設定されたカテゴリは、前記現在再生中のコンテンツのジャンルと同一又は異なるジャンル、前記現在再生中のコンテンツのアーティストと同一又は異なるアーティスト、前記現在再生中のコンテンツが属するアルバム、前記現在再生中のコンテンツと同一又は異なる発売年度のうち少なくとも一つを含む、請求項２に記載のコンテンツリストを表示する方法。
【請求項４】
前記現在再生中のコンテンツとの類似情報に基づいて設定されたカテゴリは、前記現在再生中のコンテンツと類似の性向、前記現在再生中のコンテンツのアーティストと類似の性向のアーティストのうち少なくとも一つを含む、請求項２に記載のコンテンツリストを表示する方法。
【請求項５】
前記現在再生中のコンテンツと類似の性向は、前記現在再生中のコンテンツの速さ、使われた楽器のような属性や売り上げ記録のうち少なくとも一つに基づいて分析された性向である、請求項４に記載のコンテンツリストを表示する方法。
【請求項６】
前記現在再生中のコンテンツの再生履歴情報に基づいて設定されたカテゴリは、前記現在再生中のコンテンツより再生回数が多い、少ない又は同一である場合、前記現在再生中のコンテンツより再生時間が長い、短い又は同一である場合を少なくとも一つ含む、請求項２に記載のコンテンツリストを表示する方法。
【請求項７】
前記現在再生中のコンテンツを基準として多数のユーザから集計した結果情報に基づいて設定されたカテゴリは、前記現在再生中のコンテンツのアーティストの所定の上位の人気コンテンツ範囲を含む、請求項２に記載のコンテンツリストを表示する方法。
【請求項８】
前記ユーザ命令は、上下方向ボタンあるいは左右方向ボタンのそれぞれの入力に応じてそれぞれ異なる類型で生じる、請求項１に記載のコンテンツリストを表示する方法。
【請求項９】
前記再生履歴情報は、再生回数と再生時間のうち少なくとも一つを含み、
前記コンテンツバーの長さが長いほど前記再生回数が多かったり前記再生時間が長かったりするコンテンツを表す、請求項１に記載のコンテンツリストを表示する方法。
【請求項１０】
前記コンテンツバーは、該当コンテンツが初めて前記コンテンツリストに登録されれば既設定された長さで生成されて、該当コンテンツを再生しつつ、スキップをしたり再生の途中に停止すれば自動で前記コンテンツバーの長さが短くなる、請求項１に記載のコンテンツリストを表示する方法。
【請求項１１】
ユーザの命令を受信する入力部と、
コンテンツリストを表示する出力部、および
前記受信されたユーザ命令の類型に応じて、現在再生中のコンテンツに対する情報に基づいて設定されたカテゴリ内に属するコンテンツのリストが出力部に表示されるように制御する制御部と、を含み、
前記出力部に表示されるコンテンツリストは、各コンテンツのジャンルを表す色相と各コンテンツの再生履歴情報を表す長さで表現される複数のコンテンツバーを含む、コンテンツリストを表示する装置。
【請求項１２】
一つ以上のコンテンツ保存機器との通信のための通信部をさらに含み、
前記制御部は、前記通信部を通じて前記コンテンツ保存機器と通信して、前記コンテンツ保存機器に保存されたコンテンツを持ってきてリストを構成して、前記構成されたコンテンツリストが前記出力部に表示されるように制御する、請求項１１に記載のコンテンツリストを表示する装置。
【請求項１３】
前記現在再生中のコンテンツに対する情報は、前記現在再生中のコンテンツのメタデータ、前記現在再生中のコンテンツとの類似情報、前記現在再生中のコンテンツの再生履歴情報、前記現在再生中のコンテンツを基準として多数のユーザから集計した結果情報のうち少なくとも一つを含む、請求項１１に記載のコンテンツリストを表示する装置。
【請求項１４】
前記現在再生中のコンテンツのメタデータに基づいて設定されたカテゴリは、前記現在再生中のコンテンツのジャンルと同一又は異なるジャンル、前記現在再生中のコンテンツのアーティストと同一又は異なるアーティスト、前記現在再生中のコンテンツが属するアルバム、前記現在再生中のコンテンツと同一又は異なる発売年度のうち少なくとも一つを含む、請求項１３に記載のコンテンツリストを表示する装置。
【請求項１５】
前記現在再生中のコンテンツとの類似情報に基づいて設定されたカテゴリは、前記現在再生中のコンテンツと類似の性向、前記現在再生中のコンテンツのアーティストと類似の性向のアーティストのうち少なくとも一つを含む、請求項１３に記載のコンテンツリストを表示する装置。
【請求項１６】
前記現在再生中のコンテンツと類似の性向は、前記現在再生中のコンテンツの速さ、使われた楽器のような属性や売り上げ記録のうち少なくとも一つに基づいて分析された性向である、請求項１５に記載のコンテンツリストを表示する装置。
【請求項１７】
前記現在再生中のコンテンツの再生履歴情報に基づいて設定されたカテゴリは、前記現在再生中のコンテンツより再生回数が多い、少ない又は同一である場合、前記現在再生中のコンテンツより再生時間が長い、短い又は同一である場合を少なくとも一つ含む、請求項１３に記載のコンテンツリストを表示する装置。
【請求項１８】
前記現在再生中のコンテンツを基準として多数のユーザから集計した結果情報に基づいて設定されたカテゴリは、前記現在再生中のコンテンツのアーティストの所定の上位の人気コンテンツ範囲を含む、請求項１３に記載のコンテンツリストを表示する装置。
【請求項１９】
前記入力部は、上下方向ボタンあるいは左右方向ボタンを含み、
前記ユーザ命令は、前記各方向ボタンの入力に応じてそれぞれ異なる類型で発生する、請求項１１に記載のコンテンツリストを表示する装置。
【請求項２０】
前記再生履歴情報は、再生回数と再生時間のうち少なくとも一つを含み、
前記コンテンツバーの長さが長いほど前記再生回数が多かったり前記再生時間が長かったりするコンテンツを表す、請求項１１に記載のコンテンツリストを表示する装置。
【請求項２１】
前記コンテンツバーは、該当コンテンツが初めて前記コンテンツリストに登録されれば既設定された長さで生成されて、該当コンテンツを再生しつつ、スキップをしたり再生の途中に停止すれば自動で前記コンテンツバーの長さが短くなる、請求項１１に記載のコンテンツリストを表示する装置。
【発明の詳細な説明】
【技術分野】
【０００１】
本発明は、コンテンツリストを表示する方法および装置に関するものであって、より詳細にはユーザの簡単な操作だけで現在再生中のコンテンツに対する情報に基づく多様なコンテンツリストを表示できるコンテンツリストを表示する方法および装置に関するものである。
【背景技術】
【０００２】
最近、ハードディスクドライブ、フラッシュメモリなどのデジタル保存装置が大容量化され、コンテンツの圧縮技術の発展につれ、これを活用する端末機が保存して処理するコンテンツの量も急激に増加している。過去端末機がわずか数十、数百個のコンテンツ程度を保有することができたが、最近の端末機は数十ギカバイト（ＧＢｙｔｅ）の保存空間に数万個以上のコンテンツを保有することができるようになった。
【０００３】
このような現象はＩＰＴＶ（Ｉｎｔｅｒｎｅｔ  Ｐｒｏｔｏｃｏｌ  Ｔｅｌｅｖｉｓｉｏｎ）と共にネットワーク連結が可能なメディア端末機が登場してからさらに層加速化されている。例えば、Ａｐｐｌｅ社のオンライン音源サービスであるアイチューンズミュージックストア（ｉＴｕｎｅｓ  Ｍｕｓｉｃ  Ｓｔｏｒｅ）の場合３５０万曲以上のＭＰ３がサービスされているが、このようなアイチューンズミュージックストアに直接連結可能な端末機はその保存容量とは関係がなく数百万曲以上のオンラインコンテンツを処理するようになる。
【０００４】
これによって、ユーザの望むコンテンツをどのような順序で再生するのかを決定するコンテンツリストを作って活用する方法に対する研究が続いている。
【０００５】
一方、従来のコンテンツ再生においては、コンテンツリストに応じてコンテンツが順次に再生されている状況でユーザがコンテンツリストに存在しないコンテンツを再生するためには新たなコンテンツリストを作ったりコンテンツ検索をしたりして他のコンテンツを選択しなければならない。
【０００６】
さらに、道を歩きながら、あるいは別のことをしつつコンテンツを再生する場合、再生しているコンテンツリストに飽きると、他のコンテンツリストを選択するために現在の作業を止めてコンテンツ再生装置の画面を見ながら、またコンテンツリストをセッティングしなければならない不便さがある。
【発明の概要】
【発明が解決しようとする課題】
【０００７】
本発明は、前記した問題点を改善するために案出されたものであって、ユーザの簡単な操作だけで現在再生中のコンテンツに対する情報に基づく多様なコンテンツリストを表示できるコンテンツリストを表示する方法および装置を提供することにその目的がある。
【０００８】
しかし、本発明の目的は、前記に言及された目的に制限されなく、言及されていないまた他の目的は次の記載から当業者に明確に理解できるであろう。
【課題を解決するための手段】
【０００９】
前記目的を達成するために本発明の実施形態によるコンテンツリストを表示する方法は、ユーザの命令を受信する段階、および前記受信されたユーザ命令の類型に応じて、現在再生中のコンテンツに対する情報に基づいて設定されたカテゴリ内に属するコンテンツのリストを表示する段階を含む。
【００１０】
前記目的を達成するために本発明の実施形態によるコンテンツリストを表示する装置は、ユーザの命令を受信する入力部と、コンテンツリストを表示する出力部、および前記受信されたユーザ命令の類型に応じて、現在再生中のコンテンツに対する情報に基づいて設定されたカテゴリ内に属するコンテンツのリストが出力部に表示されるように制御する制御部を含む。
【発明の効果】
【００１１】
前記したように本発明によるコンテンツリストを表示する方法および装置によれば、ユーザの簡単な操作だけで現在再生中のコンテンツに対する情報に基づく多様なコンテンツリストを表示できる効果がある。
【図面の簡単な説明】
【００１２】
【図１】本発明によるコンテンツリストを表示する装置の構成図である。
【図２】本発明によるコンテンツリストが含まれるユーザインターフェースが出力部に表示された一例を示す図である。
【図３】本発明によるコンテンツリストが含まれるユーザインターフェースが出力部に表示された他の例を示す図である。
【図４】本発明によるコンテンツリストを表示する方法を示すフローチャートである。
【図５Ａ】図４の方法を具体的に具現した一例を示す図である。
【図５Ｂ】図４の方法を具体的に具現した一例を示す図である。
【発明を実施するための形態】
【００１３】
その他実施形態の具体的な事項は詳細な説明および図に含まれており、本発明の利点、特徴、およびそれらを達成する方法は、添付される図面と共に詳細に後述される実施形態を参照すれば明確になるであろう。
【００１４】
しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は請求項の範囲によってのみ定義される。なお、明細書全体にかけて、同一の参照符号は同一の構成要素を指称する。
【００１５】
以下、添付された図を参照して本発明の好ましい実施形態を詳細に説明する。
この時、フローチャートの各ブロックとフロ−チャートの組合わせはコンピュータプログラムインストラクションにより実行可能なのが理解できるであろう。
【００１６】
これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。
【００１７】
これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラマブルデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００１８】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている２つのブロックは、実質的に同時に行われてもよく、またはそのブロックが時々該当する機能によって逆順に行われてもよい。
【００１９】
図１は、本発明によるコンテンツリストを表示する装置１００の構成図である。
【００２０】
図示されたコンテンツリストを表示する装置１００は、ユーザの命令を受信する入力部１１０と、コンテンツリストが含まれるユーザインターフェースを表示する出力部１２０と、受信されたユーザ命令の類型に応じて、現在再生中のコンテンツに対する情報に基づいて設定されたカテゴリ内に属するコンテンツのリストが出力部１２０に表示されるように制御する制御部１３０を含む。
【００２１】
ここで、コンテンツは、音楽ファイル、写真ファイル、ビデオファイル、ＵＣＣ（Ｕｓｅｒ  Ｃｒｅａｔｅｄ  Ｃｏｎｔｅｎｔ）、ＩＰＴＶの広告などが含まれるが、これに限定されない。
【００２２】
このようなコンテンツリストを表示する装置１００は、携帯電話、ＭＰ３プレーヤ、ＰＭＰ（Ｐｏｒｔａｂｌｅ  Ｍｕｌｔｉｍｅｄｉａ  Ｐｌａｙｅｒ）、コンピュータ装置、オーディオ装置などのようなコンテンツ再生装置に統合されて具現されうるが、これに限定されず、コンテンツ再生装置と別途に具現されうることはもちろんである。仮に、コンテンツ再生装置と別途に具現される場合、コンテンツリストを表示する装置１００はコンテンツ再生装置との通信のためのポートをさらに具備することができる。
【００２３】
入力部１１０は、複数のボタンあるいはホイールを具備し、各ボタンに対するユーザのタッチやプッシュあるいは各ホイールに対する回転などを感知することができる。したがって、ユーザは入力部１１０に具備されたボタンをタッチあるいはプッシュしたりホイールを回転したりすることによって、コンテンツのリストを検索したり選択したりすることができる。特に、上下左右の方向ボタンは本実施形態でコンテンツのリストを変更するための用途として使用され得る。もちろん、これに限定されず、（＋）ボタン、（−）ボタン、その他特定のボタンあるいはホイールなどがコンテンツのリストを変更するための用途として使用され得る。一方、入力部１１０はユーザの命令を受信して制御部１３０に送信する別途の装置でありうる。例えば、入力部１１０はユーザの命令を赤外線、ＲＦ（無線周波数）などの無線信号で送信するリモコンであったり、ユーザの命令を有線で制御部１３０に送信する所定の有線装置でありうる。
【００２４】
出力部１２０は、コンテンツのリストが含まれるユーザインターフェースを表示する。ユーザインターフェースを表わすために出力部１２０はＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｐａｎｅｌ  ｄｉｓｐｌａｙ）、有機ＥＬ（Ｏｒｇａｎｉｃ  Ｅｌｅｃｔｒｏ−Ｌｕｍｉｎｅｓｃｅｎｔ）などのディスプレー手段で具現されうる。一方、出力部１２０はコンテンツリストを表示する装置１００とは別途に存在する所定のディスプレー装置で具現されることもできる。
【００２５】
制御部１３０は、受信されたユーザ命令の類型に応じて、現在再生中のコンテンツに対する情報に基づいて設定されたカテゴリ内に属するコンテンツのリストが含まれるユーザインターフェースが出力部１２０に表示されるように制御する。コンテンツリストが含まれるユーザインターフェースの具体的な説明は後述する。
【００２６】
ホームネットワーク環境の場合、コンテンツリストを表示する装置１００は一つ以上のコンテンツ保存機器（１５０−１から１５０−ｎ）との通信のための通信部１４０をさらに含み得る。制御部１３０は、通信部１４０を通じてコンテンツ保存機器（１５０−１から１５０−ｎ）と通信し、これらコンテンツ保存機器（１５０−１から１５０−ｎ）に保存されたコンテンツを持ってきてリストを構成および表示して再生する過程を制御する。
【００２７】
図２は、本発明によるコンテンツリストが含まれるユーザインターフェースが出力部１２０に表示された一例を示す図である。
【００２８】
システム駆動時やコンテンツ再生中、メニュー表示を指示する命令が受信される場合、コンテンツリストが表示され、コンテンツリストのうち現在再生中のコンテンツにフォーカスが位置するように制御されうる。
【００２９】
本実施形態で、現在再生中のコンテンツに対する情報に基づいて設定されたカテゴリは、「現在再生中のコンテンツのジャンルと同一であるジャンル」と「現在再生中のコンテンツのアーティスト（ａｒｔｉｓｔ）と同一であるアーティスト」である。
【００３０】
また、左側方向ボタンは「現在再生中のコンテンツのジャンルと同一であるジャンル」に属するコンテンツのリストに変更するという命令として認識され、右側方向ボタンは「現在再生中のコンテンツのアーティストと同一であるアーティスト」に該当するコンテンツのリストに変更するという命令として認識される。これを区別することができるようにコンテンツリスト画面に方向を示す矢印１７０，１８０が表示されうる。もちろん、これに限定されるものではなく、左側方向ボタンは、「現在再生中のコンテンツのジャンルと異なるジャンル」に属するコンテンツのリストに変更するという命令として認識されることもあり、右側方向ボタンは、「現在再生中のコンテンツのアーティストと異なるアーティスト」に該当するコンテンツのリストに変更するという命令として認識されることもある。ここで、コンテンツリストを変更するための入力部１１０が左右側方向ボタンに限定されるものではなく、多様なボタンやホイールあるいはこれらの組合わせがコンテンツリストを変更するための入力部１１０としての機能を果たすことができる。
【００３１】
そして、本実施形態で現在再生中のコンテンツに対する情報に基づいて設定されたカテゴリは「ジャンル」と「アーティスト」だけではなく、「現在再生中のコンテンツが属するアルバム」、「現在再生中のコンテンツと同一である（あるいは異なる）発売年度」のようなメタデータのうち少なくとも一つを含むこともできる。
【００３２】
また、カテゴリ設定の基礎情報になる現在再生中のコンテンツに対する情報は、前記メタデータの他に、現在再生中のコンテンツとの類似情報、現在再生中のコンテンツの再生履歴情報、現在再生中のコンテンツを基準として多数のユーザから集計した結果情報のうち少なくとも一つを含むこともできるが、これに限定されるものではない。より具体的に例をあげれば、現在再生中のコンテンツとの類似情報に基づいて設定されたカテゴリは「現在再生中のコンテンツと類似の性向」、「現在再生中のコンテンツのアーティストと類似の性向のアーティスト」のうち少なくとも一つを含み得、現在再生中のコンテンツの再生履歴情報に基づいて設定されたカテゴリは「現在再生中のコンテンツより再生回数が多い（あるいは少ない、あるいは同一である）場合」、「現在再生中のコンテンツより再生時間が長い（あるいは短い、あるいは同一である）場合」のうち少なくとも一つを含み得、現在再生中のコンテンツを基準として多数のユーザから集計した結果情報に基づいて設定されたカテゴリは「現在再生中のコンテンツのアーティストの所定の上位の人気コンテンツ範囲（例えば、上位１０位内のコンテンツ）」を含み得る。一方、前記の「現在再生中のコンテンツと類似の性向」は、該当コンテンツの属性（速さ、使われた楽器など）や売り上げ記録などに基づいて分析された性向であり得るが、これに限定されるものではない。
【００３３】
ユーザインターフェースに含まれたコンテンツリストはテキスト形態で配列された各コンテンツの題名と、各コンテンツの題名に付与されたリスト番号を含み得る。
【００３４】
そして、コンテンツリストは各コンテンツの題名に提供されるコンテンツバー１６０を含み得る。それぞれのコンテンツバー１６０は、コンテンツのジャンルを表す色相と、コンテンツの再生履歴情報（例えば、再生回数、再生時間）を表す長さで表現されうる。例えば、図２でコンテンツバー１６０はバラードジャンル、ダンスジャンル、ヒップホップジャンル、演歌ジャンルを表す。そして、図２でコンテンツバー１６０の長さが長いほど再生回数が多い（あるいは再生時間が長い）はことを表しうるが、これに限定されない。ここで、コンテンツバー１６０の長さは該当コンテンツが初めてコンテンツリストに登録されれば既設定された長さで生成されて、コンテンツを再生しつつ、スキップ（ｓｋｉｐ）をしたり再生の途中に停止すると自動的にコンテンツバー１６０の長さが相対的に短くなるように構成され得る。さらに、コンテンツリスト内のコンテンツを順次に再生する時、所定の長さ以下のコンテンツバー１６０に該当するコンテンツは自動的にスキップするように構成され得る。
【００３５】
また、コンテンツリストでフォーカスが位置された現在再生中のコンテンツの領域が異なるコンテンツの領域に比べて広く構成され得る。一方、コンテンツの再生が中止されればフォーカスの位置がそのまま維持されて次の再生時フォーカスが位置されたコンテンツから再生するように制御されうる。
【００３６】
図３は、本発明によるコンテンツリストが含まれるユーザインターフェースが出力部１２０に表示された他の例を示す図である。
【００３７】
この実施形態ではブラウジング可能な次のカテゴリ項目に対する複数の情報１９０を画面に表示する。すなわち、左右側方向ボタンを押すことによって現在再生中のコンテンツのジャンルと同一であるジャンルに属するコンテンツリスト、現在再生中のコンテンツのアーティストと同一であるアーティストのコンテンツリスト、現在再生中のコンテンツが属するアルバム内のコンテンツリストのうち何れか一つに変更され得、上下側方向ボタンを押すことによって現在再生中のコンテンツと類似の性向のコンテンツリスト、現在再生中のコンテンツと同一である再生回数を有するコンテンツリスト、現在再生中のコンテンツの発売年度と同一である発売年度を有するコンテンツリストのうち何れか一つに変更されうる。もちろん、これに限定されるものではなく、ブラウジング可能な次のテゴリ項目に対する複数の情報は多様に構成され得る。また、入力部１１０を通じて画面に表示されたカテゴリが選択されれば、選択されたカテゴリにフォーカスが移動されうる。もちろん、カテゴリ変更前のコンテンツリストでは「前」項目（１９０−１）にフォーカスが位置していることができる。
【００３８】
このように、ユーザは入力部１１０に具備されるボタンを利用して一回の操作だけで現在再生中のコンテンツに対する情報に基づいて設定された他のカテゴリ内に属するコンテンツリストに変更することができる。これに、ユーザがコンテンツリストを変更するためにコンテンツリストが表示される出力部１２０を見なくても多様なコンテンツリストに変更することができる。
【００３９】
図４は、本発明によるコンテンツリストを表示する方法を示すフローチャートである。
【００４０】
コンテンツリストが選択されて（Ｓ１００）前記選択されたコンテンツリストのうち何れか一つのコンテンツが再生されている状態で（Ｓ１１０）、ユーザの命令が受信されれば、受信された命令の類型に応じて現在再生中のコンテンツに対する情報に基づいて設定されたカテゴリ内に属するコンテンツのリストを表示する。
【００４１】
ここで、ユーザ命令の類型は左側方向ボタンを押したり、右側方向ボタンを押したりする時生じうる。もちろん、これに限定されず、図３のようなコンテンツリストが含まれるユーザインターフェースが表示される場合、上側方向ボタンを押したり、下側方向ボタンを押したりする時にもそれぞれ異なるユーザ命令の類型が生じ得、この他に入力部１１０に具備された他のボタンを押したりホイールを回転させたりする時、あるいは二つ以上のボタンの組合わせを押す時にもユーザ命令が生じるように構成され得る。
【００４２】
例えば、図５Ａでコンテンツリスト２００が出力部１２０に表示された状態で左側方向ボタンが「現在再生中のコンテンツのジャンルと同一であるジャンル」に属するコンテンツのリストに変更するという命令として認識され、右側方向ボタンが「現在再生中のコンテンツのアーティストと同一であるアーティスト」に該当するコンテンツのリストに変更するという命令として認識される場合を仮定する。
【００４３】
図５Ａでコンテンツリスト２００のうち何れか一つのコンテンツ（「Ｉｖｙ」の「誘惑のソナタ」）が再生されている状態で、入力部１１０を通じて左側方向ボタン信号が入力されれば、制御部１３０は左側方向ボタン信号を認識して、現在再生中のコンテンツ（「Ｉｖｙ」の「誘惑のソナタ」）と同一のジャンル（「ダンス」）に属するコンテンツリスト２１０を生成して出力部１２０に表示する一方（Ｓ１２０）、これを順次に再生するように制御する（Ｓ１３０）。この時、コンテンツリスト２００に位置していた「ジャンル」項目２３０および「アーティスト」項目２４０は「前」項目２５０に変更されうる。この時、右側方向ボタンは前のコンテンツリスト２００に変更するという命令として認識されるように変更され、左側方向ボタンはコンテンツリスト変更のためいかなる命令も認識されないように変更される。これで、ユーザが前に再生していたコンテンツリスト２００に戻ろうとすると（Ｓ１６０）、右側方向ボタンを入力して前に再生していたコンテンツリスト２００に戻ることができる（Ｓ１１０）。
【００４４】
一方、図５Ｂの状態で入力部１１０を通じて右側方向ホタン信号が入力されれば、制御部１３０は右側方向ボタン信号を認識して、現在再生中のコンテンツ（「Ｉｖｙ」の「誘惑のソナタ」）と同一のアーティスト（「Ｉｖｙ」）のコンテンツリスト２２０を生成して出力部１２０に表示する一方（Ｓ１４０）、これを順次に再生するように制御する（Ｓ１５０）。この時、コンテンツリスト２００に位置していた「ジャンル」項目２３０および「アーティスト」項目２４０は「前」の項目２６０に変更されうる。この時、左側方向ボタンは前のコンテンツリスト２００に変更するという命令と認識されるように変更され、右側方向ボタンはコンテンツリスト変更のためいかなる命令も認識されないように変更される。これに、ユーザが前に再生していたコンテンツリスト２００に戻ろうとすると（Ｓ１６０）、左側方向ボタンを入力して前に再生していたコンテンツリスト２００に戻ることができる（Ｓ１１０）。
【００４５】
以上、添付された図面を参照して本発明の実施形態について説明したが、本発明が属する技術分野で通常の知識を有する者は、本発明が、その技術的思想や必須の特徴を変更しない範囲で他の具体的な形態で実施され得るということは理解できる。したがって、上記、実施形態はすべての面で例示的なものであり、限定的なものではないと理解しなければならない。
【符号の説明】
【００４６】
１１０    入力部
１２０    出力部
１３０    制御部
１４０    通信部
【図１】
0005383214.tif 000002
【図２】
0005383214.tif 000003
【図４】
0005383214.tif 000004
【図５Ａ】
0005383214.tif 000005
【図５Ｂ】
0005383214.tif 000006
【図３】
0005383214.tif 000007